(57)【要約】【課題】テレビジョン放送番組録画システムにおいて、現在時刻へのＤＳＴの適用開始前又は終了前にそれを考慮せずに放送番組のタイマ録画の設定がなされ、その後にＤＳＴの適用が開始又は終了したとしても、放送番組を確実に録画する。【解決手段】テレビジョン放送番組録画システム１は、受像機２及びレコーダ３を有する。受像機２は、ＤＳＴ（夏時間）が開始又は終了したときに、最新の電子番組表をレコーダ３に送信する。レコーダ３は、電子番組表を受信し、タイマ録画される将来の放送番組の放送時間情報と、最新の電子番組表に示される放送時間情報とを比較し、それらが不一致のとき、タイマ録画予定の放送番組の放送時間情報を最新のものに自動変更する。これにより、ＤＳＴの開始前又は終了前にそれを考慮せずに放送番組のタイマ録画の設定がなされ、その後にＤＳＴが開始又は終了したとしても、タイマ録画予定の放送番組を確実に録画することができる。【選択図】図１
2012004963.tif 000002
【特許請求の範囲】
【請求項１】
テレビジョン放送番組（以下、放送番組という）の情報を含むテレビジョン放送信号（
以下、放送信号という）を受信して、該放送番組の映像を表示し、該放送番組の音声を出
力するテレビジョン受像機と、
前記テレビジョン受像機に接続され、放送番組を記憶媒体にタイマ録画可能であり、該
テレビジョン受像機によりタイマ録画に関する設定がなされる録画装置と、を備えたテレ
ビジョン放送番組録画システムにおいて、
前記テレビジョン受像機は、
前記放送信号から、現在がＤＳＴ（Daylight Saving Time）であるか否かを示すＤＳＴ
情報を取得するＤＳＴ情報取得手段と、
前記ＤＳＴ情報取得手段により取得されたＤＳＴ情報に基づき、現在時刻へのＤＳＴの
適用開始及び適用終了を検出するＤＳＴ適用検出手段と、
前記ＤＳＴ適用検出手段によりＤＳＴの適用開始が検出されたときには、ＤＳＴが適用
された最新の放送番組情報を前記録画装置に送信し、該ＤＳＴ適用検出手段によりＤＳＴ
の適用終了が検出されたときには、ＤＳＴが適用されていない最新の放送番組情報を該録
画装置に送信する送信手段と、を有し、
前記録画装置は、
前記送信手段から送信された放送番組情報を受信する受信手段と、
タイマ録画される将来の放送番組の放送時間情報が格納される記憶手段と、
前記記憶手段に格納された放送番組の放送時間情報と、前記受信手段により受信された
放送番組情報に含まれる該放送番組の放送時間情報とを比較する放送時間比較手段と、
前記放送時間比較手段による比較結果に基づき、前記記憶手段に格納された放送番組の
放送時間情報を、前記放送番組情報に含まれる該放送番組の放送時間情報に変更する放送
時間情報変更手段と、を有することを特徴とするテレビジョン放送番組録画システム。
【請求項２】
前記送信手段は、前記録画装置と該録画装置以外の他の電子装置とのいずれもが接続可
能な共用の送信端子と、前記送信端子に接続された装置が前記録画装置か否かを判別する
接続装置判別手段と、を有し、
前記ＤＳＴ情報取得手段は、前記接続装置判別手段により、前記送信端子に接続された
装置が前記録画装置であると判別されたとき、前記ＤＳＴ情報を取得することを特徴とす
る請求項１に記載のテレビジョン放送番組録画システム。
【請求項３】
前記送信手段及び前記受信手段は、ＨＤＭＩ‐ＣＥＣ（High Definition Multimedia I
nterface-Consumer Electronics Control）規格に準拠したインタフェースであり、ＨＤ
ＭＩケーブルを介して情報を授受することを特徴とする請求項１又は請求項２に記載のテ
レビジョン放送番組録画システム。
【発明の詳細な説明】
【技術分野】
【０００１】
本発明は、テレビジョン放送番組を受信して録画するテレビジョン放送番組録画システ
ムに関する。
【背景技術】
【０００２】
従来から、テレビジョン受像機（以下、受像機という）と、この受像機と連携動作する
録画装置とを備えたテレビジョン放送番組録画システム（以下、録画システムという）が
知られている。上記受像機は、テレビジョン放送番組（以下、放送番組という）を受信し
、放送番組の映像を表示し、放送番組の音声を出力する。上記録画装置は、放送番組を受
信し、その放送番組を録画する。また、上記録画装置は、タイマ録画処理、すなわち、前
もって予約された将来の放送番組の録画を、その放送番組の放送時に自動で行う処理を実
行することができる。
【０００３】
ところで、アメリカ合衆国等では、夏の一定期間に限り、夏時間（Daylight Saving Ti
me；以下、ＤＳＴという）制度、すなわち、時刻を標準時間から例えば１時間進める制度
が導入されている。このＤＳＴ制度が導入されている地域では、標準時間とＤＳＴとが切
り替わる際、放送番組の放送時間が変更になることがある。このため、上記録画システム
においては、録画予約していた放送番組を録画し損ねることが生じ得る。
【０００４】
標準時間とＤＳＴとの切り替わりに係わらず、予約イベントが正しく実行されるように
した各種装置が知られており（例えば、特許文献１及び特許文献２参照）、これらの装置
の中には、放送信号に含まれるＤＳＴ情報から上記切り替わりを検知して内部時計及び予
約イベントの時刻を修正するものがある。
【０００５】
そこで、上記問題を解決するため、これらの各種装置の構成を上記録画システムに適用
することが考えられる。しかしながら、そのようにした録画システムであっても、上記問
題の解決は困難である。なぜなら、放送番組の放送時間は、標準時間とＤＳＴとの切り替
わり時に、常に一定の時間だけ、進められ、又は遅らされるとは限らず、その時間を把握
し得ないからである。
【０００６】
なお、単独では手動による時刻設定が必要な電子機器の自動時刻設定を可能とする自動
時刻設定システムが知られている（例えば、特許文献３参照）。しかしながら、この自動
時刻設定システムにより上記問題を解決することは難しい。
【先行技術文献】
【特許文献】
【０００７】
【特許文献１】特開２００１−６６３８４号公報
【特許文献２】特開平７−７７５８７号公報
【特許文献３】特開２０１０−２１８９号公報
【発明の概要】
【発明が解決しようとする課題】
【０００８】
本発明は、上記の従来の問題を解決するためになされたものであり、現在時刻へのＤＳ
Ｔの適用開始前又は終了前にそれを考慮せずに放送番組のタイマ録画の設定がなされ、そ
の後にＤＳＴの適用が開始又は終了したとしても、放送番組を確実に録画することができ
るテレビジョン放送番組録画システムを提供することを目的とする。
【課題を解決するための手段】
【０００９】
上記目的を達成するために本発明は、テレビジョン放送番組（以下、放送番組という）
の情報を含むテレビジョン放送信号（以下、放送信号という）を受信して、該放送番組の
映像を表示し、該放送番組の音声を出力するテレビジョン受像機と、前記テレビジョン受
像機に接続され、放送番組を記憶媒体にタイマ録画可能であり、該テレビジョン受像機に
よりタイマ録画に関する設定がなされる録画装置と、を備えたテレビジョン放送番組録画
システムにおいて、前記テレビジョン受像機は、前記放送信号から、現在がＤＳＴ（Dayl
ight Saving Time）であるか否かを示すＤＳＴ情報を取得するＤＳＴ情報取得手段と、前
記ＤＳＴ情報取得手段により取得されたＤＳＴ情報に基づき、現在時刻へのＤＳＴの適用
開始及び適用終了を検出するＤＳＴ適用検出手段と、前記ＤＳＴ適用検出手段によりＤＳ
Ｔの適用開始が検出されたときには、ＤＳＴが適用された最新の放送番組情報を前記録画
装置に送信し、該ＤＳＴ適用検出手段によりＤＳＴの適用終了が検出されたときには、Ｄ
ＳＴが適用されていない最新の放送番組情報を該録画装置に送信する送信手段と、を有し
、前記録画装置は、前記送信手段から送信された放送番組情報を受信する受信手段と、タ
イマ録画される将来の放送番組の放送時間情報が格納される記憶手段と、前記記憶手段に
格納された放送番組の放送時間情報と、前記受信手段により受信された放送番組情報に含
まれる該放送番組の放送時間情報とを比較する放送時間比較手段と、前記放送時間比較手
段による比較結果に基づき、前記記憶手段に格納された放送番組の放送時間情報を、前記
放送番組情報に含まれる該放送番組の放送時間情報に変更する放送時間情報変更手段と、
を有することを特徴とする。
【００１０】
このテレビジョン放送番組録画システムにおいて、前記送信手段は、前記録画装置と該
録画装置以外の他の電子装置とのいずれもが接続可能な共用の送信端子と、前記送信端子
に接続された装置が前記録画装置か否かを判別する接続装置判別手段と、を有し、前記Ｄ
ＳＴ情報取得手段は、前記接続装置判別手段により、前記送信端子に接続された装置が前
記録画装置であると判別されたとき、前記ＤＳＴ情報を取得することが好ましい。
【００１１】
このテレビジョン放送番組録画システムにおいて、前記送信手段及び前記受信手段は、
ＨＤＭＩ‐ＣＥＣ（High Definition Multimedia Interface-Consumer Electronics Cont
rol）規格に準拠したインタフェースであり、ＨＤＭＩケーブルを介して情報を授受する
ことが好ましい。
【発明の効果】
【００１２】
本発明によれば、現在時刻へのＤＳＴの適用開始前又は終了前にそれを考慮せずに放送
番組のタイマ録画の設定がなされ、その後にＤＳＴの適用が開始又は終了したとしても、
録画装置は、ＤＳＴ適用開始後又は終了後の最新の放送番組情報を基に、タイマ録画され
る放送番組の放送時間情報を最新の放送時間情報に自動変更することができる。そのため
、放送番組を確実に録画することができる。
【図面の簡単な説明】
【００１３】
【図１】本発明の一実施形態に係るテレビジョン放送番組録画システムの構成を示す斜視図。
【図２】上記システムの電気的ブロック図。
【図３】上記システムにおける録画予約情報の変更処理のフローチャート。
【発明を実施するための形態】
【００１４】
本発明の一実施形態に係るテレビジョン放送番組録画システム（以下、録画システムと
いう）について図面を参照して説明する。図１は、本実施形態の録画システムの構成を示
す。この録画システム１は、テレビジョン受像機（以下、受像機という）２と、レコーダ
３（録画装置）と、受像機２を遠隔操作するためのリモートコントローラ（以下、リモコ
ンという）４とを備える。受像機２及びレコーダ３は、ＨＤＭＩ−ＣＥＣ（High Definit
ion Multimedia Interface-Consumer Electronics Control）規格に準拠しており、ＨＤ
ＭＩケーブル５を介して互いに接続され、互いを制御することにより連携動作する。
【００１５】
受像機２は、テレビジョン放送番組（以下、放送番組という）の情報を含むテレビジョ
ン放送信号（以下、放送信号という）を受信して、その放送番組の映像を表示し、その放
送番組の音声を出力する。レコーダ３は、放送信号を受信して放送番組を記憶媒体にタイ
マ録画することが可能である。
【００１６】
録画システム１においては、レコーダ３のタイマ録画に関する２種類の設定を、リモコ
ン４を用いて受像機２を操作することにより、又は受像機２が自動で行うことができる。
【００１７】
上記設定の一方においては、リモコン４の操作により、受像機２に表示中の電子番組表
から任意の放送番組が選択されて、その選択された放送番組のタイマ録画が予約されたと
き、その予約情報が受像機２からレコーダ３に自動伝送され、これにより、レコーダ３が
その予約情報に基づいてタイマ録画を行うように設定される。この設定は、ＨＤＭＩ−Ｃ
ＥＣ規格で定められた、いわゆるタイマプログラミングコマンドに従った設定である。こ
の設定によれば、レコーダ３に、放送番組のタイマ録画の設定を行わなくて済む。
【００１８】
上記設定の他方においては、現在時刻へのＤＳＴ（Daylight Saving Time；夏時間）の
適当開始とその適用終了とを検出し、その検出前からレコーダ３に設定されていたタイマ
録画の時間情報が受像機２により自動更新される。なお、ＤＳＴはヨーロッパにおけるサ
マータイムと同じである。
【００１９】
図２は、録画システム１の電気的構成を示す。受像機２は、チューナ２１と、デマルチ
プレクサ２２と、デコーダ２３と、映像音声出力制御回路（以下、制御回路という）２４
と、映像音声出力部２５と、ＨＤＭＩ回路２６と、リモコン信号受信回路（以下、受信回
路という）２７と、ＣＰＵ２８とを備える。
【００２０】
チューナ２１は、アンテナ６を介して放送信号を受信し、受信周波数を、リモコン４の
操作により選局される物理チャンネルに対応した周波数に同調させ、これにより、そのチ
ャンネルの放送信号を選局する。
【００２１】
デマルチプレクサ２２は、チューナ２１により選局されたチャンネルの放送信号を復調
し、その復調された放送信号に対して誤り訂正処理を施し、その訂正処理を施した放送信
号からデータ信号、映像信号及び音声信号のＴＳパケットをそれぞれ分離する。上記デー
タ信号には電子番組表の情報（放送番組情報）が重畳されている。
【００２２】
デコーダ２３は、デマルチプレクサ２２により分離されたデータ信号、映像信号及び音
声信号のＴＳパケットをそれぞれデコードするデータデコーダ２３ａ、映像デコーダ２３
ｂ及び音声デコーダ２３ｃを有する。
【００２３】
制御回路２４は、データデコーダ２３ａによりデコードされたデータ信号、又は映像デ
コーダ２３ｂによりデコードされた映像信号を再生して、映像音声出力部２５に電子番組
表又は放送番組等の映像を表示させる。また、制御回路２４は、音声デコーダ２３ｃによ
りデコードされた音声信号を再生して、映像音声出力部２５に音声を出力させる。映像音
声出力部２５は、映像を表示するディスプレイと、音声を出力するスピーカとを含む。
【００２４】
ＨＤＭＩ回路２６（送信手段を構成）は、ＨＤＭＩ−ＣＥＣ規格に準拠したインタフェ
ース回路であり、ＨＤＭＩケーブル５を介して、レコーダ３と各種情報を授受する。上記
インタフェース回路は、ＨＤＭＩケーブル５の接続端子が接続される通信端子２６ａ（送
信端子）を有する。通信端子２６ａは、直接の接続対象がＨＤＭＩケーブル５の一端のコ
ネクタであるため、ＨＤＭＩケーブル５の他端のコネクタに接続される電子機器がＨＤＭ
Ｉ−ＣＥＣ規格に準拠していれば、通信端子２６ａは、その電子機器と通信可能にＨＤＭ
Ｉケーブル５を介して接続される。従って、通信端子２６ａは、レコーダ３とレコーダ３
以外の他の電子装置とのいずれもが接続可能な共用の端子である。
【００２５】
受信回路２７は、リモコン４からの遠隔制御信号を受信し、ＣＰＵ２８に転送する。こ
の無線方式は、赤外線無線、特定小電力無線等のいずれであってもよい。
【００２６】
ＣＰＵ２８は、リモコン４からの遠隔制御信号に基づいて、チューナ２１の選局制御と
、制御回路２４の映像音声出力制御とを行い、さらに、上記遠隔制御信号、又はデータデ
コーダ２３ａによりデコードされたデータ信号に基づいてＨＤＭＩ回路２６の情報送信制
御を行う。この情報送信制御の中には、ユーザにより電子番組表を基に設定された録画予
約情報を上記タイマプログラミングコマンドに従ってレコーダ３に送信することが含まれ
る。上記録画予約情報には、タイマ録画される将来の放送番組の番組名、チャンネル、ジ
ャンル、出演者、放送開始時刻、放送終了時刻等の情報が含まれる。
【００２７】
また、ＣＰＵ２８は、通信端子２６ａに接続された装置がレコーダ３か否かを判別する
接続装置判別回路２８ａ（接続装置判別手段）と、接続装置判別回路２８ａにより、通信
端子２６ａに接続された装置がレコーダ３であると判別されたときにのみ、データデコー
ダ２３ａによりデコードされたデータ信号の中からＤＳＴ情報を取得するＤＳＴ情報取得
回路２８ｂ（ＤＳＴ情報取得手段）とを有する。このＤＳＴ情報は、現在がＤＳＴである
か否かを示す情報であり、放送信号がＡＴＳＣ（Advanced Television Systems Committe
e）規格に準拠している場合には、ＳＴＴ（System Time Table）内に含まれるＤＳ＿ＳＴ
ＡＴＵＳというフラグの値である。このフラグ値は、ＤＳＴの適用期間中は１になり、Ｄ
ＳＴの適用終了期間中は０になる。
【００２８】
また、ＣＰＵ２８は、ＤＳＴ情報取得回路２８ｂにより取得されたＤＳＴ情報に基づき
、現在時刻へのＤＳＴの適用開始及び適用終了を検出するＤＳＴ適用検出回路２８ｃ（Ｄ
ＳＴ適用検出手段）を有する。
【００２９】
そして、ＣＰＵ２８（送信手段を構成）は、ＤＳＴ適用検出回路２８ｃによりＤＳＴの
適用開始が検出された時と、ＤＳＴの適用終了が検出された時とに、その時に最新の電子
番組表とＤＳＴ情報とをＨＤＭＩ回路２６からレコーダ３に送信する。この電子番組表の
送信は、例えば、上記各検出時から所定期間、定期的に行われる。現在時刻へのＤＳＴの
適用が開始されると、電子番組表中の放送番組の放送開始時刻及び放送終了時刻（以下、
放送時間という）については、ＤＳＴが適用されてＤＳＴで表される。現在時刻へのＤＳ
Ｔ適用が終了されると、上記放送時間については、ＤＳＴが適用されず、標準時間で表さ
れる。
【００３０】
レコーダ３は、チューナ３１と、デマルチプレクサ３２と、デコーダ３３と、データ書
込み回路３４と、ＨＤＭＩ回路３５と、メモリ３６と、ＣＰＵ３７と、タイマ３８とを備
える。
【００３１】
チューナ３１、デマルチプレクサ３２、及びデコーダ３３は、それぞれ、チューナ２１
、デマルチプレクサ２２、及びデコーダ２３と同等の構成を有する。
【００３２】
データ書込み回路３４は、デコーダ３３によりデコードされたデータ信号、映像信号及
び音声信号を記録媒体３９に書き込む回路である。記録媒体３９は、レコーダ３に搭載さ
れたＨＤＤであってもよいし、レコーダ３への取り込みとレコーダ３からの取り出しとが
自在なＤＶＤ等の光ディスクであってもよい。
【００３３】
ＨＤＭＩ回路３５（受信手段）は、ＨＤＭＩ回路２６と同等の構成を有し、通信端子２
６ａと同じ構成の通信端子３５ａを備える。ＨＤＭＩ回路３５は、ＨＤＭＩ回路２６から
送信される録画予約情報、電子番組表及びＤＳＴ情報を、ＨＤＭＩケーブル５を介して受
信し、ＣＰＵ３７に転送する。
【００３４】
メモリ３６（記憶手段）には、受像機２から送信された録画予約情報及び電子番組表が
ＣＰＵ３７により格納される。
【００３５】
ＣＰＵ３７は、メモリ３６に格納された録画予約情報を参照し、その録画予約情報に従
って、チューナ３１の受信チャンネルを録画予定のチャンネルに選局し、タイマ３８によ
り現在時刻を計時して放送開始時刻からデータ書込み回路３４を用いて録画を開始し、放
送終了時刻に録画を終了する。
【００３６】
また、ＣＰＵ３７は、放送時間比較回路３７ａ（放送時間比較手段）と、放送時間情報
変更回路３７ｂ（放送時間情報変更手段）とを有する。放送時間比較回路３７ａは、受像
機２からの電子番組表をＨＤＭＩ回路３５により受信したとき、メモリ３６に格納されて
いる、録画予定の放送番組の放送時間情報と、受信された電子番組表に含まれる上記放送
番組の放送時間情報とを比較する。放送時間比較回路３７ａは、放送番組の各種情報のう
ち、現在時刻へのＤＳＴ適用の有無に係らず同一の情報、例えば、番組名を基に、電子番
組表の中から、その放送番組を探し出す。放送時間比較回路３７ａによる比較の結果、メ
モリ３６に格納されている、録画予定の放送番組の放送時間情報と、上記電子番組表に含
まれる上記放送番組の放送時間情報とが不一致であったとき、放送時間情報変更回路３７
ｂは、前者の放送時間情報を後者の放送時間情報に変更する。
【００３７】
また、ＣＰＵ３７は、受像機２からのＤＳＴ情報をＨＤＭＩ回路３５により受信したと
き、タイマ３８により計時される現在時刻の設定をＤＳＴ情報に基づいて変更する。詳し
くは、ＣＰＵ３７は、標準時間からＤＳＴへの切り替わり（ＤＳＴ適用開始）を検知した
ときには、標準時間とＤＳＴとの時間差を現在時刻に加え、ＤＳＴから標準時間への切り
替わり（ＤＳＴ適用終了）を検知したときには、上記時間差を現在時刻から減ずる。
【００３８】
リモコン４は、押下げ操作可能な各種キー４１を有し、これらのキー操作に基づき、受
像機２とレコーダ３とに、各種の制御を指示する遠隔制御信号を個別送信する。上記制御
内容には、チューナ２１による各受信チャンネルの選局、放送番組のタイマ録画の予約設
定、及び制御回路２４による音量調整等が含まれる。
【００３９】
次に、録画システム１における録画予約情報の変更動作について図３を参照して説明す
る。図３は、上記変更動作の手順を示す。受像機２は、受像機２に接続された装置がレコ
ーダ３であるか否かを判別し、それがレコーダであると判別したとき（Ｓ１でＹｅｓ）、
現在時刻へのＤＳＴの適用が開始されたか、又は適用が終了したか、すなわち、適用状態
が変更されたか否かを検出し、適用状態が変更されたと検出されたとき（Ｓ２でＹｅｓ）
、最新の電子番組表をレコーダ３に送信する（Ｓ３）。Ｓ１の判別処理において、接続さ
れた装置がレコーダ３ではないと判別されたとき（Ｓ１でＮｏ）、受像機２は動作を終了
する。
【００４０】
レコーダ３は、受像機２から送信された最新の電子番組表を受信し（Ｓ４）、録画予約
済みの放送番組の放送時間情報と、受信した電子番組表に含まれる上記放送番組の放送時
間情報とが一致しているか否かを検出し、それらが不一致であると検出されたとき（Ｓ５
でＹｅｓ）、録画予約済みの放送番組の放送時間情報を、最新の電子番組表に示された放
送時間情報に修正し、更新する。録画予約済みの放送番組の放送時間情報と、電子番組表
に含まれる上記放送番組の放送時間情報とが一致していた場合（Ｓ５でＮｏ）、レコーダ
３の動作は終了する。
【００４１】
本実施形態においては、ＤＳＴの適用開始前又は終了前にそれを考慮せずに放送番組の
タイマ録画の設定がなされ、その後にＤＳＴの適用が開始又は終了したとしても、レコー
ダ３は、ＤＳＴ適用開始後又は終了後の最新の電子番組表を基に、タイマ録画される放送
番組の放送時間情報を、最新の放送時間情報に自動変更することができる。そのため、放
送番組を確実に録画することができる。しかも、ユーザが意識することなく、録画ミスを
防ぐことができる。
【００４２】
また、受像機２は、受像機２に接続された電子装置がレコーダ３か否かを判別し、その
電子装置がレコーダ３であると判別されたときにのみ、ＤＳＴ情報を取得する。従って、
受像機２に接続された電子装置がレコーダ３以外であったときには、ＤＳＴ情報が取得さ
れず、ＤＳＴ情報を用いた一連の動作が行われない。このため、省電力化を図ることがで
きる。
【００４３】
なお、本発明は、上記の実施形態の構成に限定されるものでなく、使用目的に応じ、様
々な変形が可能である。例えば、メモリ３６に格納される録画予約情報は、レコーダ３に
設けた操作器又はリモコン４により録画予約した放送番組の情報であってもよい。
【符号の説明】
【００４４】
１  テレビジョン放送番組録画システム
２  テレビジョン受像機
２６  ＨＤＭＩ回路（送信手段を構成）
２６ａ  通信端子（送信端子）
２８  ＣＰＵ（送信手段を構成）
２８ａ  接続装置判別回路（接続装置判別手段）
２８ｂ  ＤＳＴ情報取得回路（ＤＳＴ情報取得手段）
２８ｃ  ＤＳＴ適用検出回路（ＤＳＴ適用検出手段）
３  レコーダ（録画装置）
３５  ＨＤＭＩ回路（受信手段）
３６  メモリ（記憶手段）
３７  ＣＰＵ
３７ａ  放送時間比較回路（放送時間比較手段）
３７ｂ  放送時間情報変更回路（放送時間情報変更手段）
５  ＨＤＭＩケーブル
【図１】
2012004963.tif 000003
【図２】
2012004963.tif 000004
【図３】
2012004963.tif 000005